(57)【要約】【課題】  小型化に好適なカード用コネクタ装置を提供すること。【解決手段】  外側面に凹部１１が形成されたカード１０が上方から装填されるベース部材２と、このベース部材２に固定されてカード１０と電気的に接続される複数の端子部材１とを備えたカード用コネクタ装置において、ベース部材２にカード１０の凹部１１に嵌入可能な位置決め突起５を設け、カード位置決め用の押えばねが不要な構成とした。また、ベース部材２にヒンジ開閉可能かつ閉姿勢で前後進可能にカバー部材４を取り付け、このカバー部材４を閉姿勢で所定量前進させるとベース部材２に係止されるようにしておけば、カード１０を所定の装着位置に安定的に保持しておくことが可能となる。【選択図】  図１
2006156107.tif 000002
【特許請求の範囲】
【請求項１】
外側面に凹部が形成されたカードが上方から装填される合成樹脂製のベース部材と、このベース部材に支持されて前記カードと電気的に接続される複数の端子部材とを備え、前記ベース部材に前記カードの前記凹部に嵌入可能な位置決め突起を設けたことを特徴とするカード用コネクタ装置。
【請求項２】
請求項１の記載において、前記凹部が前記カードの左右外側面の対称な位置にそれぞれ形成されており、前記ベース部材には相対向する向きに突出する一対の前記位置決め突起が設けられていることを特徴とするカード用コネクタ装置。
【請求項３】
請求項１または２の記載において、前記位置決め突起の上縁部に前記凹部の下縁部に摺接して前記カードを下方へと導くための傾斜ガイド面が形成されていることを特徴とするカード用コネクタ装置。
【請求項４】
請求項１〜３のいずれか１項の記載において、前記位置決め突起に前記凹部の壁面に点接触させるための複数の膨出部が形成されていることを特徴とするカード用コネクタ装置。
【請求項５】
請求項１〜４のいずれか１項の記載において、前記ベース部材にヒンジ開閉可能かつ閉姿勢で前後進可能に取り付けらたれカバー部材を備え、このカバー部材を閉姿勢で所定量前進させることにより前記ベース部材に係止されるように構成したことを特徴とするカード用コネクタ装置。
【請求項６】
請求項５の記載において、前記ベース部材に前記位置決め突起の背面側から突出する係合突起を設けると共に、前記カバー部材に側縁に沿って延びる弾性腕片を設け、前記カバー部材を閉姿勢で前進させたときに前記弾性腕片の先端部が前記係合突起を乗り越えて係止されるようにしたことを特徴とするカード用コネクタ装置。
【発明の詳細な説明】
【技術分野】
【０００１】
本発明は、情報記憶機能を有するカードが接続されるカード用コネクタ装置に係り、特に、複数の端子部材が固定されているベース部材上にカードが上方から装填されるカード用コネクタ装置に関するものである。
【背景技術】
【０００２】
この種のカード用コネクタ装置の従来例としては、複数の端子部材が所定の配列で固定されているベース部材上にカードを位置決めするための規制壁を設けると共に、このベース部材上の一側部に板ばねからなる押えばねを設置した構成のものが知られている（例えば、特許文献１参照）。かかる構成のカード用コネクタ装置は、ベース部材上で斜めに傾けたカードの一側縁で押えばねを押し撓めながら該カードをベース部材上に搭載すると、押えばねの弾発力でカードの隅部近傍が規制壁に押し当てられるようになっており、こうして押えばねと規制壁とで挟持されたカードは所定のカード装着位置に位置決めされるため、カードの下面に設けられた外部接続部が対応する端子部材に接触して電気的に接続された状態となる。
【特許文献１】特開平１１−３０７１９１号公報（第５−７頁、図１０）
【発明の開示】
【発明が解決しようとする課題】
【０００３】
昨今、この種のカード用コネクタ装置が組み込まれる電子機器は小型化される傾向にあるため、より小型のカード用コネクタ装置が要望されているが、前述した従来技術では、ベース部材上の一側部にカードを側方から付勢する位置決め用の押えばねが設置されており、この押えばねはカードの装填時や離脱時には付勢方向とは逆向きに押し撓められるので、押えばねの可動範囲を含めた設置スペースを確保するためにベース部材の横幅を広くせざるを得ず、このことがコネクタ装置全体の小型化を阻害する要因となっていた。
【０００４】
本発明は、このような従来技術の実情に鑑みてなされたもので、その目的は、小型化に好適なカード用コネクタ装置を提供することにある。
【課題を解決するための手段】
【０００５】
上記の目的を達成するために、本発明のカード用コネクタ装置は、外側面に凹部が形成されたカードが上方から装填される合成樹脂製のベース部材と、このベース部材に支持されて前記カードと電気的に接続される複数の端子部材とを備え、前記ベース部材に前記カードの前記凹部に嵌入可能な位置決め突起を設けるという構成にした。
【０００６】
このように構成されたカード用コネクタ装置によれば、ベース部材の位置決め突起をカードの凹部内に嵌め入れることで該カードの位置決めが行えるため、カードを側方から付勢する位置決め用の押えばねが不要となる。それゆえ、該押えばねの設置スペースを省略できる分だけベース部材の横幅を狭めることができ、コネクタ装置全体の小型化が促進できる。
【０００７】
上記の構成において、前記凹部が前記カードの左右外側面の対称な位置にそれぞれ形成されている場合、前記ベース部材に相対向する向きに突出する一対の前記位置決め突起が設けてあると、これら両位置決め突起だけでベース部材上のカードを正確に位置決めすることが可能となるため好ましい。
【０００８】
また、上記の構成において、前記位置決め突起の上縁部に前記凹部の下縁部に摺接して前記カードを下方へと導くための傾斜ガイド面が形成されていると、ベース部材上へ搭載する際に、カードの凹部が位置決め突起の上縁部に引っ掛かる虞がなくなるため、カードの装填動作を円滑に行うことができて好ましい。
【０００９】
また、上記の構成において、前記位置決め突起に前記凹部の壁面に点接触させるための複数の膨出部が形成されていると、ベース部材上に搭載したカードをガタのない状態で正確に位置決めすることが容易となるため好ましい。
【００１０】
また、上記の構成において、前記ベース部材にヒンジ開閉可能かつ閉姿勢で前後進可能に取り付けらたれカバー部材を備え、このカバー部材を閉姿勢で所定量前進させることにより前記ベース部材に係止されるように構成してあると、カバー部材を開いた状態でベース部材上にカードを搭載した後、このカバー部材を閉じて所定量前進させることによりロック状態となすことができるため、カードを所定の装着位置に安定的に保持しておくことができて使い勝手が向上する。例えば、ベース部材に前記位置決め突起の背面側から突出する係合突起を設けると共に、カバー部材に側縁に沿って延びる弾性腕片を設け、カバー部材を閉姿勢で前進させたときに前記弾性腕片の先端部が前記係合突起を乗り越えて係止されるようにしておけば、カバー部材の前記ロック状態が容易に実現できると共に、背中合わせに形成された位置決め突起と係合突起とによって十分な肉厚が確保できるため、比較的大きな力が作用するこれら係合箇所の機械的強度が高まって破損しにくくなる。
【発明の効果】
【００１１】
本発明のカード用コネクタ装置は、上方から装填されるカードの凹部に嵌入可能な位置決め突起をベース部材に設けることによって、カードを側方から付勢する位置決め用の押えばねを不要となし、この押えばねの設置スペースが省略できる分だけベース部材の横幅を狭めることができるため、コネクタ装置全体の小型化が促進できる。
【発明を実施するための最良の形態】
【００１２】
発明の実施の形態を図面を参照して説明すると、図１は本発明の実施形態例に係るカード用コネクタ装置の分解斜視図、図２は該カード用コネクタ装置のベース部材上にカードを搭載した状態を示す斜視図、図３は図２のＡ部拡大図、図４は該カード用コネクタ装置のカバー部材をロックする前の状態を示す斜視図、図５は該カバー部材をロックした後の状態を示す斜視図である。
【００１３】
これらの図に示すカード用コネクタ装置は、複数の端子部材１を合成樹脂製のベース部材２に支持してなるカード受容体３と、ベース部材２にヒンジ開閉可能かつ閉姿勢で前後進可能に取り付けられた板金製のカバー部材４とによって主に構成されており、情報記憶機能を有するカード１０（図１参照）を上方からベース部材２の底板部２ａ上に装填することによって、カード１０の下面に配設されている図示せぬ外部接続部が対応する各端子部材１に接触して電気的に接続されるようになっている。なお、カード１０には左右の外側面の対称な位置にそれぞれ凹部１１が形成されている。
【００１４】
ベース部材２は金型内に複数の端子部材１をインサートして成形されたモールド品であり、各端子部材１の両端部を除く所定部位をベース部材２の底板部２ａ内に埋設することによってカード受容体３が構成されている。各端子部材１は、一端部がカード１０の前記外部接続部に接触可能な接触部１ａで、他端部が図示せぬプリント回路基板に半田付けされる端子部１ｂとなっている。そして、各端子部材１の接触部１ａがカード１０の搭載される底板部２ａの上面よりも若干量上方へ突出しているため、底板部２ａ上に搭載されたカード１０の下面に接触部１ａを弾接させることができる。
【００１５】
ベース部材２には底板部２ａの左右に側壁２ｂが立設されており、各側壁２ｂの内側には相対向する向きに突出する位置決め突起５が設けられている。これら左右の側壁２ｂの間隔はカード１０の横幅と略同等に設定されており、各位置決め突起５はカード１０の凹部１１に嵌入できる大きさに形成されている。図３に示すように、各位置決め突起５の上縁部には、該凹部１１の下縁部に摺接してカード１０を下方へと導くための傾斜ガイド面５ａが形成されており、また、各位置決め突起５の下側部分には、該凹部１１の壁面に点接触させるために表面を湾曲させた複数の膨出部５ｂが形成されている。ベース部材２の左右の側壁２ｂの外側には、位置決め突起５の背面側から突出する係合突起６が設けられている。また、各側壁２ｂの前端部には後述するカバー部材４の爪片４ｄを係止するためのストッパ部７が突設されており、各側壁２ｂの後端部には該カバー部材４の軸部４ｂを回転可能かつ前後進可能に挿入するための軸受溝８が刻設されている。
【００１６】
カバー部材４はステンレス等の金属板をプレス加工したもので、各端子部材１の両端部が蓋閉可能な平板部４ａを有してベース部材２に取り付けられている。このカバー部材４の左右両側には軸部４ｂと弾性腕片４ｃおよび爪片４ｄが一対ずつ設けられており、各軸部４ｂを前記軸受溝８に挿入して係合させることにより、このカバー部材４はベース部材２に対してヒンジ開閉可能かつ閉姿勢で前後進可能となっている。各弾性腕片４ｃは平板部４ａの側縁に沿って延びて自由端側の先端部がフック状に加工されており、カバー部材４を閉姿勢で所定量前進させると、弾性腕片４ｃの該先端部がベース部材２の係合突起６を乗り越えて係止されるため後退動作が規制されるようになっており、このとき、カバー部材４の前端部は爪片４ｄがベース部材２のストッパ部７に係止されて開動作が規制されるようになっている。
【００１７】
このカード用コネクタ装置に使用されるカード１０は図１に示すように平面視矩形状をなし、その下面側には各端子部材１に対応して図示せぬ外部接続部が所定の配列で設けられている。カード１０の左右の外側面には凹部１１が形成されており、各凹部１１内に位置決め突起５を嵌入させてカード１０をベース部材２の底板部２ａ上に搭載すると、このカード１０は前記外部接続部が対応する端子部材１の接触部１ａと接触する位置決め状態に配置される。
【００１８】
次に、上述したカード用コネクタ装置の動作について説明する。
【００１９】
カード１０の装填時には、ベース部材２に対してカバー部材４を開いて底板部２ａの上面を露出させたうえで、図２に示すようにカード１０を上方から底板部２ａ上に搭載する。このとき、カード１０の左右の凹部１１をベース部材２の左右の位置決め突起５上に位置合わせして該カード１０を下方（底板部２ａ側）へ押し込めば、各位置決め突起５の傾斜ガイド面５ａが凹部１１の下縁部に摺接するため、カード１０を下方へ円滑に導いて各位置決め突起５を各凹部１１内に嵌め入れることができる。そして、カード１０をそのまま押し込んで底板部２ａの上面に当接させると、各位置決め突起５によって位置決めされたカード１０が所定のカード装着位置に装填され、カード１０の前記外部接続部が対応する端子部材１の接触部１ａと接触する。なお、カード１０の凹部１１に位置決め突起５を嵌入させると、凹部１１の壁面に位置決め突起５の複数の膨出部５ｂが点接触し、これらの膨出部５ｂによってカード１０の位置決めが行われる。
【００２０】
こうして底板部２ａ上の所定位置にカード１０を装填した後、カバー部材４を軸部４ｂを中心に閉方向に回転させて図４に示す閉姿勢にすると、平板部４ａがカード１０の上面に近接して対向し、かつ弾性腕片４ｃおよび爪片４ｄがベース部材２の側壁２ｂの外側に配置された状態となる。この状態で、カバー部材４を図５に示す位置まで前進させると、弾性腕片４ｃの先端部が弾性変形してベース部材２の係合突起６を乗り越えるため、クリック感が生起されて該先端部が係合突起６に係止された状態となり、カバー部材４の後退動作は規制される。また、カバー部材４を図５に示す位置まで前進させると、爪片４ｄの下端部がベース部材２のストッパ部７の下に入り込むため、該爪片４ｄがストッパ部７に係止された状態となり、カバー部材４の開動作は規制される。つまり、カバー部材４は図４に示す閉姿勢のときには回転動作やスライド動作が規制されていないが、図５に示す位置までカバー部材４を前進させると回転動作やスライド動作が規制されたロック状態に移行して、底板部２ａ上に装填されているカード１０を保護することができる。
【００２１】
なお、図５に示す状態からカード１０を離脱させる際には、装填時と逆の動作を行えば良い。すなわち、まず弾性腕片４ｃの先端部が係合突起６を逆向きに乗り越えるようにカバー部材４を奥側へ押し込んで、ロック解除したカバー部材４を図４に示す位置まで後退させた後、このカバー部材４を開方向へ回転させて平板部４ａをカード１０の上面から大きく離間させる。この状態で、カード１０の前端部を手指等で若干量持ち上げれば、凹部１１が位置決め突起５から外れてベース部材２と係合しなくなるので、カード１０をベース部材２から離脱させることができる。
【００２２】
このように本実施形態例に係るカード用コネクタ装置は、ベース部材２の位置決め突起５をカード１０の凹部１１内に嵌め入れることで該カード１０の位置決めが行えるため、カード１０を側方から付勢する位置決め用の押えばねが不要な構成になっている。その結果、この押えばねの可動範囲を含めた設置スペースが省略できて、横幅の狭いベース部材２が使用できるようになっており、装置全体の小型化が促進されている。
【００２３】
また、このカード用コネクタ装置では、位置決め突起５の上縁部に傾斜ガイド面５ａが形成されているため、ベース部材２上へ搭載する際にカード１０の凹部１１が位置決め突起５の上縁部に引っ掛かる虞がなく、よってカード１０の装填動作を円滑に行うことができる。また、位置決め突起５には凹部１１の壁面に点接触させるための複数の膨出部５ｂが形成されているため、ベース部材２上に搭載したカード１０をガタのない状態で正確に位置決めすることができる。なお、このカード用コネクタ装置は、背中合わせに形成された位置決め突起５と係合突起６とによって十分な肉厚が確保されているため、比較的大きな力が作用するこれら係合箇所の機械的強度が高まって破損しにくくなっている。
【００２４】
また、本実施形態例に係るカード用コネクタ装置では、ベース部材２にヒンジ開閉可能かつ閉姿勢で前後進可能に取り付けらたれカバー部材４を閉姿勢で所定量前進させると、弾性腕片４ｃの先端部が係合突起６を乗り越えて係止されると共に爪片４ｄがストッパ部７に係止され、このカバー部材４を後退動作と開動作とが規制されたロック状態に移行させることができる。そのため、カード１０を所定の装着位置に安定的に保持しておくことができ、使い勝手の良いカード用コネクタ装置となっている。
【図面の簡単な説明】
【００２５】
【図１】本発明の実施形態例に係るカード用コネクタ装置の分解斜視図である。
【図２】該カード用コネクタ装置のベース部材上にカードを搭載した状態を示す斜視図である。
【図３】図２のＡ部拡大図である。
【図４】該カード用コネクタ装置のカバー部材をロックする前の状態を示す斜視図である。
【図５】該カバー部材をロックした後の状態を示す斜視図である。
【符号の説明】
【００２６】
１  端子部材
２  ベース部材
２ａ  底板部
２ｂ  側壁
４  カバー部材
４ｂ  軸部
４ｃ  弾性腕片
４ｄ  爪片
５  位置決め突起
５ａ  傾斜ガイド面
５ｂ  膨出部
６  係合突起
７  ストッパ部
８  軸受溝
１０  カード
１１  凹部
【図１】
2006156107.tif 000003
【図２】
2006156107.tif 000004
【図３】
2006156107.tif 000005
【図４】
2006156107.tif 000006
【図５】
2006156107.tif 000007